(57)【要約】【課題】一般家庭などでも、浸水災害の迫った緊急時において、浸水防止堤の基本的な部分を迅速に構築できる簡易な浸水防止装置を提供する。【解決手段】簡易型浸水防止装置は、注水口及び排水口を有し注水によって所定形状に膨張保形される水嚢体と、膨張された水嚢体を地面に固定する固定部とを備えている。【選択図】図１
0003232172.tif 000002
【実用新案登録請求の範囲】
【請求項１】
注水口及び排水口を有し、注水によって所定形状に膨張保形される水嚢体と、
前記水嚢体を地面に固定する固定部とを備えることを特徴とする簡易型浸水防止装置。
【請求項２】
請求項１において、
前記所定形状は両端面が円又は角形状であり、膨張された前記水嚢体は横倒し状態で配置されることを特徴とする簡易型浸水防止装置。
【請求項３】
請求項１又は２において、
前記固定部は、前記水嚢体より突出して固定孔が形成された突片と、アンカー杭とで構成されていることを特徴とする簡易型浸水防止装置。
【請求項４】
請求項１又は２において、
前記固定部は、前記水嚢体と別体となり、両側先端に固定孔が形成された固定ベルトと、アンカー杭とで構成されていることを特徴とする簡易型浸水防止装置。
【考案の詳細な説明】
【技術分野】
【０００１】
本考案は、豪雨等の際に浸水、冠水害を防止する一時的な堤防の構築に用いることが可能な簡易型浸水防止装置に関する。
【背景技術】
【０００２】
前記のような簡易型浸水防止装置の従来技術として注水式のものがあり、例えば次の特許文献１、２には円柱型あるいはかまぼこ型（半円柱）注水式浸水防止装置が記載されている。
【先行技術文献】
【特許文献】
【０００３】
【特許文献１】特開昭62-264204号公報
【特許文献２】特許6439208号公報
【考案の概要】
【考案が解決しようとする課題】
【０００４】
しかしながら前記特許文献１、２に記載されているような簡易型薪水防止装置は大掛かりため取り扱いが難しいという問題があった。これに対して本考案は、取り扱いが容易な簡易型浸水防止装置を提供することを目的としている。
【課題を解決するための手段】
【０００５】
本発明の簡易型浸水防止装置は、注水口及び排水口を有し、注水によって所定形状に膨張保形される水嚢体と、前記水嚢体を地面に固定する固定部とを備えており、望ましくは、両端面が円又は角形状であり、膨張された前記水嚢体は横倒し状態で俵積状態に配置される。
【考案の効果】
【０００６】
本考案の簡易型浸水防止装置は、保管時には折り畳まれていた水嚢体を広げて、注水膨張させた後、横倒し状態にして、地面に固定して設置する構造なので、一般家庭などでも、浸水災害の迫った緊急時において、浸水防止堤の基本的な部分を迅速に構築できるのですこぶる有益である。
【図面の簡単な説明】
【０００７】
【図１】浸水防止装置の一実施例の全体斜視図である。
【図２】（ａ）、（ｂ）は、いずれも固定部の詳細を示した、浸水防止装置の設置態様を示す縦断面図である。
【図３】（ａ），（ｂ）は、別例の固定部の詳細を示した、浸水防止装置の更に他の実施例を示す縦断面図である。
【図４】浸水防止装置の他例を示す説明図である。
【図５】浸水防止装置の他例を示す説明図である。
【考案を実施するための形態】
【０００８】
図１は浸水防止装置の一実施例の全体斜視図である。
この浸水防止装置Ａは、注水によって所定形状に膨張保形される水嚢体１０と、膨張保形された水嚢体１０を地面に固定する固定部２０とで構成される。このような浸水防止装置Ａは、浸水を防止する堤防の本体部を構築するのに好適である。なお両側端に生じる隙間や屈曲した堤防を形成するには、従来の土嚢や土嚢に代わる器具と組み合わせて使用すればよい。
【０００９】
水嚢体１０は、防水性、可撓性、引張り強度に優れたシート材で形成された丈夫な袋体である。その素材は特に制限されることはないが、消防ホースのように強靭な合成繊維布で外表面を形成し、その内面にゴムや樹脂等でライニングを固着させたシート材等が適している。そのような素材は漂流物の衝突に対しても、強靭であり防水性にも優れる。水嚢体１０はいずれもネジ蓋付きの開閉自在な注水口１１、注水口よりも大き目の排水口１２が適所に設けられている。使用時、使用後の便宜を考慮して、注水口１１や排水口１２はネジ蓋でなくてもよく、また、複数設けてあってもよい。
【００１０】
水嚢体１０の両端面の形状は問わないが、円または角形状、その他の形状であれば保形が安定化する。水嚢体１０は、図１，図2に示したように、使用時には横倒しにした状態として地面に固定して設置する。例えば三角柱型やおむすび断面柱型としたときには、堰き止めるべき水の水圧を受けても転がり難いのでより強固な堤防を構築できる。また、円柱型以外の形状にした場合には、中間部の断面形状を内部水圧に抗して保持する仕切り補強材を配置するとよい。なお、水嚢体１０は可撓性を有するので非使用時は、畳み込んでおけば保管も容易である。
図１の例では、水嚢体１０は両端を円形とし、本体部は２枚のシート材の継代を熱圧着等によって貼合わせて鍔部２３を形成し、鍔部２３に固定孔２０ａを形成した小突片２１を設けており、固定孔２０ａにアンカー杭２２を挿通し、地面に打ち込んで固定する構造になっている。この例では、固定部２０は、後述するように、固定孔２０ａを形成した小突片２１とアンカー杭２２とを組み合わせて構成されている。
【００１１】
図２は固定部の使用態様を示している。
まず、図２に示した固定部２０は、水嚢体１０と一体であってその両側面から外側に突出されかつ先端部にアンカー杭２２またはロープを挿通させる固定孔２０ａが形成された突片２１と、アンカー杭２２とを組み合わせて構成されている。突片２１は水嚢体１０と同様の素材で形成でき、水嚢体１０の側面に強固に縫合されている。そして、突片２１は水嚢体１０の内部で連結部材２１ａによって連結されている。したがって、このような構造によれば、水嚢体１０の広がりすなわち潰れを抑えることが可能なる。またアンカー杭２２はＵ字型が望ましいがストレート型を用いてもよい。
【００１２】
図２（ａ）,（ｂ）は、浸水防止装置の設置例を示している。
図２（ａ）は１段積、図２（ｂ）は２段積の例である。
図２（ａ）の例では、まず、水嚢体１０を注水して膨張させたものを、設置場所に搬送して、アンカー杭２２で地面に固定すればよいが、図２（ｂ）の例では、２本の水嚢体１０を注水して十分に膨張させて、並行に横配列して設置場所を固定した後、それぞれの突片の固定孔２０ａにアンカー杭２２を挿通させて地面に打設し、その上に別の水嚢体１０を載せる。水嚢体１０は、このような方法で任意の段数の俵積ができ、３段積、４段積ができ、これによって水嚢体１０は外部一方向から水圧を受けてもずれ難く安定した状態に設置できる。
また浸水防止装置Ａの両端面を垂直面としたものでは、隣接して配置された浸水防止装置Ａの端面同士が内部水圧によって相互に密着し合うのでこの部分からの浸水も押さえられる。
【００１３】
図２（ｂ）の例では、水嚢体１０は上下二段に俵積されている。具体的には下段に２つの水嚢体１０が並列配置され、上段の水嚢体１０は下段の２つの水嚢体１０の谷間部分に嵌るように配置されている。なお地面への固定は最下段の２つの水嚢体１０だけでよい。
このようして俵積すれば、複数段設置は簡単に行える。ここでは２段積を説明したが３段積以上であっても同様である。
【００１４】
図３は、固定具の他例を示している。
この実施形態では、固定部２０は、水嚢体１０とは別体とされた固定ベルト２３を用いている点が特徴である。前記実施例に共通する要素には同一の参照符号を付けて説明を省略する。この固定ベルト２３は、水嚢体１０と同様の素材の他、ゴム、紐、その複合物で形成されており、固定ベルト２３の両側先端にはアンカー杭２２またはロープを挿通させる固定孔２０ａが形成されている。
【００１５】
図３（ａ）の例では、固定ベルト２３は、水嚢体１０の外周長より幾分長い程度であり、水嚢体１０の上面に掛け渡し、その両端をアンカー杭２２によって地面に固定するが、図３（ｂ）の例では、固定ベルト２３の全長は水嚢体１０の外周長の１／２よりも幾分長い程度であり、固定ベルト２３は水嚢体１０の上面に掛け渡した状態で、水嚢体１０の直径に近い高さのアンカー杭２２によって地面に固定される。
【００１６】
図４は、断面形状の異なった浸水防止装置の更に他例を示している。
水嚢体１０の断面形状を和菓子の最中状にしており、設置時の安定性を一層改善している。前記実施例に共通する要素は同一の参照符号を付けて説明を省略する。
【００１７】
図５は、水嚢体１０を長尺の柔軟な筒状体に形成した態様の使用を示している。
水嚢体１０は、中間部をコ字状に折り曲げて店舗の玄関先に配置されて、堤防を構築している。前記実施例に共通する要素は同一の参照符号を付けて説明を省略する。
水嚢体１０は、全長が短い場合は、カバー筒によって連結して使用できる。この例では、堤防の両端に位置する水嚢体１０は、それぞれの両端部を折曲げ、折曲げた両端部に端部カバー３０，３０を被せており、端部カバー３０，３０は、更に、その先端を下方に折り曲げることで、水嚢体１０の自重で荷重することによって端部カバーが外れないようにしている。
このように水嚢体１０を、柔軟な素材で長尺の筒状にしたものは、中間部を曲げることで堤防の形状を自在に変更して対応できる。
【００１８】
本考案による簡易型浸水防止装置によれば、保管時には折り畳まれていた水嚢体を広げて、注水膨張させた後、横倒し状態にして、地面に固定して設置する構造なので、一般家庭などでも、浸水災害の迫った緊急時において、堤防の基本的な部分を迅速に構築できる
またこのような浸水防止装置は全長が抑えられるので小型化でき、女性や子供でも設置して堤防を形成することが可能である。そのため、自宅や車庫等で、注水のための水道水が確保できる場所であれば、浸水危害が迫っている直前であっても、迅速に浸水対策が可能になり利便である。
更にこの浸水防止装置は、浸水を防止する堤防の本体部を構築するのに好適であり、両側端に生じる隙間からの浸水を防止し、更に屈曲した堤防を連続して形成するには、従来の土嚢や土嚢に代わる器具と適宜組み合わせて使用すればよい。
【符号の説明】
【００１９】
Ａ      簡易型浸水防止装置
１０    水嚢体
１１    注水口
１２    排水口
２０    固定部
２０ａ  固定孔
２１    突片
２２    アンカー杭
２３    固定ベルト
【図１】
0003232172.tif 000003
【図２】
0003232172.tif 000004
【図３】
0003232172.tif 000005
【図４】
0003232172.tif 000006
【図５】
0003232172.tif 000007